(57)【要約】【課題】光センサにより周囲に十分な明かりがあるか検知することで、電力の浪費を抑えることが可能な緊急用照明装置を提供する。【解決手段】緊急用照明装置は、電源供給装置、光センサ、加速度センサ、中央処理装置、少なくとも一つのＬＥＤ照明回路、無停電電源装置、を有し、地震発生時、或いは停電時に照明を提供する。また、加速度センサにより地震を検知し、一定の震度を超えた場合、ＬＥＤ照明装置を点灯させることで、警告警報設備として利用できる。さらに、停電時に無停電電源装置を起動し、使用者が非難する、或いは、明りを失った際に点灯し、避難方向を照らすことができる。【選択図】図１
0003171658.tif 000002
【実用新案登録請求の範囲】
【請求項１】
緊急用照明装置であって、
電源供給装置と、
光センサと、
中央処理装置と、
少なくとも一つのＬＥＤ照明回路と、
無停電電源装置と、
を有し、前記電源供給装置は、交流電力を直流電力に変換する少なくとも一つの変圧器を備え、前記変圧器は変換した直流電力を前記中央処理装置、前記ＬＥＤ照明回路及び前記無停電電源装置へ供給し、
前記光センサは、外部電源が停電した際に起動し、光源の変化を検知し、検知した光源の変化を信号として前記中央処理装置へ転送し、
前記中央処理装置は前記信号に基づいて、前記ＬＥＤ照明回路のオンオフを制御し、
前記ＬＥＤ照明回路は、少なくとも一つのＬＥＤライトを有し、前記中央処理装置及び前記無停電電源装置と電気的に接続され、
前記無停電電源装置は、充電器及び少なくとも一つの蓄電池を有し、外部電源が停電した際に、前記光センサ、前記中央処理装置及び前記ＬＥＤ照明回路に電力を供給することを特徴とする緊急用照明装置。
【請求項２】
前記中央処理装置は、ＰＷＭ制御により前記ＬＥＤ照明回路の明るさを調節することを特徴とする請求項１に記載の緊急用照明装置。
【請求項３】
緊急用照明装置であって、
電源供給装置と、
加速度センサと、
中央処理装置と、
少なくとも一つのＬＥＤ照明回路と、
を有し、前記電源供給装置は、交流電力を直流電力に変換する少なくとも一つの変圧器を備え、前記変圧器は変換した直流電力を前記加速度センサ、前記中央処理装置及び前記ＬＥＤ照明回路へ供給し、
前記加速度センサは、震度を測定するために設けられ、測定した情報を前記中央処理装置へ転送し、
前記中央処理装置は、前記加速度センサからの信号に基づいて、前記信号が設定された一定の値より大きい際に、前記ＬＥＤ照明回路を駆動させ、
前記ＬＥＤ照明回路は、少なくとも一つのＬＥＤライトを有し、前記中央処理装置及び前記電源供給装置と電気的に接続されることを特徴とする緊急用照明装置。
【請求項４】
前記緊急用照明装置は更に、人感センサを有し、人間の所在を検知した際に、信号を前記中央処理装置へ転送することで、前記ＬＥＤ照明回路を駆動させることを特徴とする請求項３に記載の緊急用照明装置。
【請求項５】
前記緊急用照明装置は更に、前記中央処理装置及び前記電源供給装置と電気的に接続される赤外線受信部を有することを特徴とする請求項４に記載の緊急用照明装置。
【請求項６】
前記緊急用照明装置は更に、リモートコントローラを有し、前記赤外線受信部は、前記リモートコントローラと共に使用することを特徴とする請求項５に記載の緊急用照明装置。
【請求項７】
前記中央処理装置は、ＰＷＭ制御により前記ＬＥＤ照明回路の明るさを調節することを特徴とする請求項３に記載の緊急用照明装置。
【請求項８】
緊急用照明装置であって、
電源供給装置と、
光センサと、
加速度センサと、
中央処理装置と、
少なくとも一つのＬＥＤ照明回路と、
無停電電源装置と、
を有し、前記電源供給装置は、交流電力を直流電力に変換する少なくとも一つの変圧器を備え、前記変圧器は変換した直流電力を前記中央処理装置、前記ＬＥＤ照明回路及び前記無停電電源装置へ供給し、
前記光センサは、外部電源が停電した際に起動し、光源の変化を検知し、検知した光源の変化を信号として前記中央処理装置へ転送し、
前記加速度センサは、震度を測定するために設けられ、測定した情報を前記中央処理装置へ転送し、
前記中央処理装置は、前記光センサからの信号に基づいて、前記ＬＥＤ照明回路のオンオフを制御し、
前記ＬＥＤ照明回路は、少なくとも一つのＬＥＤライトを有し、前記中央処理装置及び前記無停電電源装置と電気的に接続され、
前記無停電電源装置は、充電器及び少なくとも一つの蓄電池を有し、外部電源が停電した際に、前記光センサ、前記中央処理装置及び前記ＬＥＤ照明回路に電力を供給することを特徴とする緊急用照明装置。
【請求項９】
前記緊急用照明装置は更に、人感センサを有し、人間の所在を検知した際に、信号を前記中央処理装置へ転送することで、前記ＬＥＤ照明回路を駆動させることを特徴とする請求項８に記載の緊急用照明装置。
【請求項１０】
前記緊急用照明装置は更に、前記中央処理装置及び前記電源供給装置と電気的に接続される赤外線受信部を有することを特徴とする請求項８に記載の緊急用照明装置。
【請求項１１】
前記緊急用照明装置は更に、リモートコントローラを有し、前記赤外線受信部は、前記リモートコントローラと共に使用することを特徴とする請求項１０に記載の緊急用照明装置。
【請求項１２】
前記中央処理装置は、ＰＷＭ制御により前記ＬＥＤ照明回路の明るさを調節することを特徴とする請求項８に記載の緊急用照明装置。
【考案の詳細な説明】
【技術分野】
【０００１】
本考案は、緊急用照明装置に関し、特に、地震発生を検知して停電時に照明を点灯する緊急用照明装置に関する。
【背景技術】
【０００２】
台風、地震、停電等の天災発生時には、建築物内に緊急避難用の装置が設置されているかどうかが、避難する際の重要な鍵になる。現在に於いて、建築物内には皆、緊急用照明装置等の緊急避難用の装置が設置されている。一般的な照明装置の電力は電源プラグから供給されるが、災害発生時に電力供給に異常が生じた際には、緊急用照明が点灯し、避難方向を照らすことができる。
【０００３】
現在使用されている緊急用照明には、地震や煙等を検知するものがある。特許文献１には、交流電源を照明装置の電源とした緊急用照明が記載されている。しかし、交流電源の反応速度は直流電源を必要とするＬＥＤ照明回路には使用し難く、また、ＬＥＤ照明回路が必要とする定格出力よりも高いため、無駄なエネルギーの消費が発生する。よって、電力の持続力がＬＥＤ照明回路より劣るため、長時間点灯し、避難方向を照らすことができない。特許文献２に記載の、ＬＥＤを使用した緊急用照明は、オンオフスイッチを設けることで、一般的なＬＥＤ照明器具として利用できる他、停電検出回路を備えることで、スイッチオフ時でなく、且つ主電源の電力供給が途絶えた際に、予備電源から照明器具に必要な電力を供給し、緊急用照明としている。しかし、上述の停電検出回路は、主電源からの電力供給が途絶えているかを検知し、それがスイッチオフであるのか、或いは停電状態であるのかを判断する、と記載されており、このような曖昧な表現では、当業者が容易に実施できる程度に明確であるとは言えない。
【０００４】
更に、従来の緊急用照明設備と組み合わされる地震検知回路は、錘を利用した地震計を使用している。このような地震計は後から感度の調節等を行うことができず、地震計が検知できる程度以上の地震が起きた際には、その大きさに係らず一様に地震が発生したものと検知されてしまう。そのため、利便性に欠ける部分がある。また、上述の地震計は、地震と突発的な振動を区別することが不可能であるため、衝突や大型車両が通過することによる振動等、外力による振動によっても検知されてしまうため、不必要な混乱を招く。
【０００５】
そして、従来の緊急用照明装置は、無停電電源装置を設けることで停電時にも点灯できるようにしているが、このような無停電電源装置を設けたＬＥＤ緊急用照明設備は、昼間、或いは十分な自然光がある場所に於いて停電した際であっても、前記装置は明るさを検知できず、ＬＥＤ照明を点灯してしまう。よって、電力の浪費が発生し、蓄電池の電力を消耗してしまう。これでは本当に照明が必要な時に十分な電力が確保されるかどうかわからないと言える。
【先行技術文献】
【特許文献】
【０００６】
【特許文献１】台湾実用新案公告第３２７９４５号
【特許文献２】台湾特許公告第Ｍ３４３１０６号
【考案の概要】
【考案が解決しようとする課題】
【０００７】
そこで、本考案は、従来の緊急用照明装置の、電力が不足する問題、各種緊急状態に適した対応がとれない問題、従来の地震計では震度が計測できない問題、を解決することを課題とする。
【課題を解決するための手段】
【０００８】
上記の課題を解決するため、本考案の緊急用照明装置は、全ての装置が交流電力より電力を節約できる直流電力に対応している。また、白昼の電力消費を防ぐために、光センサを設け、周囲の明度を測定し点灯する必要があるかを判断している。また、地震発生時には、加速度センサにより地震を検知し、中央処理装置により震度を設定することで点灯する必要があるかを判断している。また、人感センサを設けることで、人通りの少ない場所に於いても、人が通った際に点灯させることが可能であり、死角を無くし、更には消費電力を減らす効果がある。そして、赤外線装置を設けることで、遠隔操作をすることが可能となる。
【０００９】
本考案の一つの特徴に従った緊急用照明装置は、電源供給装置、光センサ、中央処理装置、少なくとも一つのＬＥＤ照明回路、無停電電源装置、を有する。前記電源供給装置は、交流電力を直流電力に変換する少なくとも一つの変圧器を備え、前記変圧器は変換した直流電力を前記中央処理装置、前記ＬＥＤ照明回路及び前記無停電電源装置へ供給する。前記光センサは、外部電源が停電した際に起動し、光源の変化を検知する。前記光センサは検知した光源の変化を信号として前記中央処理装置へ転送し、前記中央処理装置は前記信号に基づいて、前記ＬＥＤ照明回路のオンオフを制御する。前記ＬＥＤ照明回路は、少なくとも一つのＬＥＤライトを有し、前記中央処理装置及び前記無停電電源装置と電気的に接続される。前記無停電電源装置は、充電器及び少なくとも一つの蓄電池を有する。前記無停電電源装置は、外部電源が停電した際に、前記光センサ、前記中央処理装置及び前記ＬＥＤ照明回路に電力を供給する。前記中央処理装置は、ＰＷＭ制御により前記ＬＥＤ照明回路の明るさを調節する。
【００１０】
本考案の他の特徴に従った緊急用照明装置は、電源供給装置、加速度センサ、中央処理装置、少なくとも一つのＬＥＤ照明回路を有する。前記電源供給装置は、交流電力を直流電力に変換する少なくとも一つの変圧器を備え、前記変圧器は変換した直流電力を前記加速度センサ、前記中央処理装置及び前記ＬＥＤ照明回路へ供給する。前記加速度センサは、震度を測定するために設けられ、測定した情報を前記中央処理装置へ転送する。前記中央処理装置は、前記加速度センサからの信号に基づいて、前記信号が設定された一定の値より大きい際に、前記ＬＥＤ照明回路を駆動させる。前記ＬＥＤ照明回路は、少なくとも一つのＬＥＤライトを有し、前記中央処理装置及び前記電源供給装置と電気的に接続される。また、前記緊急用照明装置は更に、人感センサを有し、人間の所在を検知した際に、信号を前記中央処理装置へ転送することで、前記ＬＥＤ照明回路を駆動させる。また、前記緊急用照明装置は更に、前記中央処理装置及び前記電源供給装置と電気的に接続される赤外線受信部を有する。前記赤外線受信部は、リモートコントローラと共に使用する。前記中央処理装置は、ＰＷＭ制御により前記ＬＥＤ照明回路の明るさを調節する。
【００１１】
本考案の更に他の特徴に従った緊急用照明装置は、電源供給装置、光センサ、加速度センサ、中央処理装置、少なくとも一つのＬＥＤ照明回路、無停電電源装置、を有する。前記電源供給装置は、交流電力を直流電力に変換する少なくとも一つの変圧器を備え、前記変圧器は変換した直流電力を前記中央処理装置、前記ＬＥＤ照明回路及び前記無停電電源装置へ供給する。前記光センサは、外部電源が停電した際に起動し、光源の変化を検知する。前記光センサは検知した光源の変化を信号として前記中央処理装置へ転送する。前記加速度センサは、震度を測定するために設けられ、測定した情報を前記中央処理装置へ転送する。前記中央処理装置は前記光センサからの信号に基づいて、前記ＬＥＤ照明回路のオンオフを制御する。前記ＬＥＤ照明回路は、少なくとも一つのＬＥＤライトを有し、前記中央処理装置及び前記無停電電源装置と電気的に接続される。前記無停電電源装置は、充電器及び少なくとも一つの蓄電池を有する。前記無停電電源装置は、外部電源が停電した際に、前記光センサ、前記中央処理装置及び前記ＬＥＤ照明回路に電力を供給する。また、前記緊急用照明装置は更に、人感センサを有し、人間の所在を検知した際に、信号を前記中央処理装置へ転送することで、前記ＬＥＤ照明回路を駆動させる。また、前記緊急用照明装置は更に、前記中央処理装置及び前記電源供給装置と電気的に接続される赤外線受信部を有する。前記赤外線受信部は、リモートコントローラと共に使用する。前記中央処理装置は、ＰＷＭ制御により前記ＬＥＤ照明回路の明るさを調節する。
【考案の効果】
【００１２】
本考案によれば、従来の緊急用照明装置より電力を節約でき、本当に地震が発生した際にのみ検知する緊急用照明装置を提供できる。よって、従来のものより広い範囲での使用が期待でき、あらゆる緊急事態に適した対応をすることが可能となる。
【図面の簡単な説明】
【００１３】
【図１】本考案の緊急用照明装置を示した概略ブロック図である。
【図２】本考案の緊急用照明装置の地震発生時の動作を表すフローチャートである。
【図３】本考案の緊急用照明装置の地震に因らない停電時の動作を表すフローチャートである。
【考案を実施するための形態】
【００１４】
添付の図面を参照しながら、本考案の実施例について以下に説明する。
【実施例】
【００１５】
図１に、本考案の実施例に係る緊急用照明装置の概略的なブロック図を示す。緊急用照明装置１００は、電源供給装置１、光センサ４、加速度センサ５、人感センサ６、赤外線受信部７、中央処理装置３、少なくとも一つのＬＥＤ照明回路８、無停電電源装置２、を有する。電源供給装置１は、交流電力を直流電力に変換する少なくとも一つの変圧器を備え、前記変圧器は変換した直流電力を前記中央処理装置３、加速度センサ５、ＬＥＤ照明回路８及び無停電電源装置２へ供給する。光センサ４は、外部電源が停電した際に起動し、光源の変化を検知する。光センサ４は検知した光源の変化を信号として中央処理装置３へ転送する。加速度センサ５は、震度を測定するために設けられ、測定した情報を中央処理装置３へ転送する。人感センサ６は、人間の所在を検知した際に、信号を中央処理装置３へ転送することで、ＬＥＤ照明回路８を駆動させる。赤外線受信部７は、中央処理装置３及び電源供給装置１と電気的に接続される。赤外線受信部７は、リモートコントローラと共に使用され、前記リモートコントローラにより中央処理装置３を遠隔操作することで、ＬＥＤ照明回路８のオンオフを制御する、或いは設定を変更することが可能である。中央処理装置３は、加速度センサ５からの信号に基づいて、前記信号が設定された一定の値より大きい際に、ＬＥＤ照明回路８を駆動させる。また、中央処理装置３は、外部からの電源供給が停電した際、光センサ４からの信号に基づいて、明るさが足りない場合にはＬＥＤライト８２のスイッチを起動させる。十分な明るさがある場合にはＬＥＤライト８２のスイッチは起動させない。ＬＥＤ照明回路８は、少なくとも一つのＬＥＤライト８１及び一つの停電用ＬＥＤライト８２を有し、中央処理装置３及び無停電電源装置２と電気的に接続される。無停電電源装置２は、充電器２１及び少なくとも一つの蓄電池２２を有する。無停電電源装置２は、外部電源が停電した際に、光センサ４、中央処理装置３及びＬＥＤ照明回路８に電力を供給する。中央処理装置３は、ＰＷＭ制御によりＬＥＤ照明回路８の明るさを調節する。
【００１６】
図２に、本考案の実施例に係る緊急用照明装置の、地震発生時の動作を表すフローチャートを示す。地震が発生した際に、もし停電状態であれば光センサ４が起動し、周囲の明るさが十分であるかを検知する。明るさが十分であればＬＥＤ照明回路８は点灯せず、明るさが足りなければＬＥＤ照明回路８を駆動し、電源が回復する、或いは蓄電池２２の電力が無くなるまで点灯する。地震が発生した際に、もし電力が供給されていれば、加速度センサ５が起動し、設定した震度に達していない場合、ＬＥＤ照明回路８は点灯せず、設定した震度に達している場合に、ＬＥＤ照明回路８を点灯することで、非常警報設備として利用できる。そして、地震が収まった後、一定時間後にＬＥＤ照明回路８をオフにする。
【００１７】
図３に、本考案の実施例に係る緊急用照明装置の、地震に因らない停電時の動作を表すフローチャートを示す。停電時に光センサ４が起動し、周囲の明るさが十分であるかを検知する。明るさが十分であればＬＥＤ照明回路８は点灯せず、明るさが足りなければＬＥＤ照明回路８を駆動し、電源が回復する、或いは蓄電池２２の電力が無くなるまで点灯する。ここでは停電時であれば、地震が発生したか否かに係らず、光センサ４は常に起動する。そして明るさが不足している場合はＬＥＤ照明回路８を駆動し、光を確保する。
【００１８】
上述において、本発明の説明の利便性のために最良の実施例を挙げて説明したが、これらの実施例は本発明の請求の範囲を限定するものではなく、本発明に基づく本発明の要旨を逸脱しないあらゆる変更は本発明の特許請求の範囲に含まれる。
【符号の説明】
【００１９】
１００  緊急用照明装置
１      電源供給装置
２      無停電電源装置
２１    充電器
２２    蓄電池
３      中央処理装置
４      光センサ
５      加速度センサ
６      人感センサ
７      赤外線受信部
８      ＬＥＤ照明回路
８１    ＬＥＤライト
８２    停電用ＬＥＤライト
【図１】
0003171658.tif 000003
【図２】
0003171658.tif 000004
【図３】
0003171658.tif 000005